(57)【要約】      （修正有）【課題】ガスタービン等の回転機器における静翼セグメントの取外しが静翼を損傷させることなく容易に確実に行える、回転機器用静翼セグメントの取外し方法および装置を提供する。【解決手段】静翼セグメント２ａの先端部を挟み込む固定治具６と、固定治具６が取り付けられる静翼セグメント誘導台９と、円弧状の静翼セグメント用搬送ラインに沿って上向きに設置された基板７と、基板７に前記搬送ラインに沿って間隔をあけ、前記搬送ラインと直交して配された、静翼セグメント誘導台９が移動する複数個の基台１３と、基台１３に取り付けられた受けローラ１４と、基台１３に取り付けられたガイドローラ１５と、基台１３に取り付けられた滑車１６と、滑車１６にガイドされ、静翼セグメント誘導台９に固定されたワイヤ１９と、静翼セグメント２ａの上流側に設置された第１ワイヤ巻取機２０と、下流側に設置された第２ワイヤ巻取機２１とを備えている。【選択図】図２
2017207016.tif 000002
【特許請求の範囲】
【請求項１】
ローターと、前記ローターを覆うケーシングと、前記ケーシングの内周面に取り付けられている円環状の静翼環とを備え、前記ケーシングは、上ケーシングと下ケーシングとからなり、前記静翼環は、複数個の円弧状静翼セグメントからなり、前記静翼セグメントは、内周枠部材と、前記内周枠部材の外側に前記内周枠部材と間隔をあけて同心円状に配された外周枠部材と、前記内周枠部材と前記外周枠部材との間に放射状に固定された複数枚の静翼とからなり、前記静翼セグメントは、前記ケーシングの内周面に環状に形成された溝に嵌合することにより、前記ケーシングに前記溝に沿って抜出し可能に装着されている回転機器における前記上ケーシングからの前記静翼セグメントの取外し装置において、
前記静翼セグメントの先端部を挟み込む固定治具と、前記固定治具が取り付けられる静翼セグメント誘導台と、円弧状の静翼セグメント用搬送ラインに沿って上向きに設置された基板と、前記基板に前記搬送ラインに沿って間隔をあけ、前記搬送ラインと直交して配された、前記静翼セグメント誘導台が移動する複数個の基台と、前記基台に取り付けられた、前記外周枠部材の外周面を受ける受けローラと、前記基台に取り付けられた、前記外周枠部材の側面を受けるガイドローラと、前記基台に取り付けられた滑車と、前記滑車にガイドされて前記搬送ラインに沿って張り渡され、前記静翼セグメント誘導台に固定されたワイヤと、前記静翼セグメントの抜出し方向上流側に設置された第１ワイヤ巻取機と、前記静翼セグメントの抜出し方向下流側に設置された第２ワイヤ巻取機とを備えていることを特徴とする、回転機器用静翼セグメントの取外し装置。
【請求項２】
前記基台を前記搬送ラインの径方向に昇降させる昇降手段を備えていることを特徴とする、請求項１に記載の、回転機器用静翼セグメントの取外し装置。
【請求項３】
前記ガイドローラは、前記基台の長手方向に移動可能であることを特徴とする、請求項１または２に記載の、回転機器用静翼セグメントの取外し装置。
【請求項４】
前記昇降手段は、パンタグラフジャッキからなることを特徴とする、請求項１から３の何れか１つに記載の、回転機器用静翼セグメントの取外し装置。
【請求項５】
前記静翼セグメントの抜出し初期に、前記静翼セグメントを抜出し方向に押し込む押込みジャッキを備えていることを特徴とする、請求項１から４の何れか１つに記載の、回転機器用静翼セグメントの取外し装置。
【請求項６】
前記押込みジャッキは、前記静翼セグメントの抜出し方向下流側に設置されていることを特徴とする、請求項５に記載の、回転機器用静翼セグメントの取外し装置。
【請求項７】
前記静翼セグメントの抜出し後半に、自重により前記静翼セグメントが抜け出すことを阻止するためのチェーンブロックを備えていることを特徴とする、請求項１から６の何れか１つに記載の、回転機器用静翼セグメントの取外し装置。
【請求項８】
前記基板と前記基台と前記静翼セグメント誘導台と前記第１ワイヤ巻取機と前記第２ワイヤ巻取機とは、一台の台車に設置されていることを特徴とする、請求項１から７の何れか１つに記載の、回転機器用静翼セグメントの取外し装置。
【請求項９】
前記回転機器は、ガスタービンであることを特徴とする、請求項１から８の何れか１つに記載の、回転機器用静翼セグメントの取外し装置。
【請求項１０】
ローターと、前記ローターを覆うケーシングと、前記ケーシングの内周面に取り付けられている円環状の静翼環とを備え、前記ケーシングは、上ケーシングと下ケーシングとからなり、前記静翼環は、複数個の円弧状静翼セグメントからなり、前記静翼セグメントは、内周枠部材と、前記内周枠部材の外側に前記内周枠部材と間隔をあけて同心円状に配された外周枠部材と、前記内周枠部材と前記外周枠部材との間に放射状に固定された複数枚の静翼とからなり、前記静翼セグメントは、前記ケーシングの内周面に環状に形成された溝に嵌合することにより、前記ケーシングに前記溝に沿って抜出し可能に装着されている回転機器であって、前記回転機器は、前記静翼セグメントの先端部を挟み込む固定治具と、前記固定治具が取り付けられる静翼セグメント誘導台と、円弧状の静翼セグメント用搬送ラインに沿って上向きに設置された基板と、前記基板に前記搬送ラインに沿って間隔をあけ、前記搬送ラインと直交して配された、前記静翼セグメント誘導台が移動する複数個の基台と、前記基台に取り付けられた、前記外周枠部材の外周面を受ける受けローラと、前記基台に取り付けられた、前記外周枠部材の側面を受けるガイドローラと、前記基台に取り付けられた滑車と、前記滑車にガイドされて前記搬送ラインに沿って張り渡され、前記静翼セグメント誘導台に固定されたワイヤと、前記静翼セグメントの抜出し方向上流側に設置された第１ワイヤ巻取機と、前記静翼セグメントの抜出し方向下流側に設置された第２ワイヤ巻取機とを備えている前記回転機器における前記上ケーシングからの前記静翼セグメントの取外し方法において、
押込みジャッキにより前記静翼セグメントを抜出し方向に若干、押し込み、次いで、前記固定治具を前記静翼セグメントの先端部に固定するとともに、前記固定治具を前記静翼セグメント誘導台に固定し、次いで、前記ワイヤを前記第２ワイヤ巻取機により巻き取るとともに、前記第１ワイヤ巻取機を緩めながら、前記押込みジャッキにより前記静翼セグメントを、前記静翼セグメントが自重により抜出し可能になるまでさらに押し込み、次いで、前記静翼セグメント誘導台を取り外し、次いで、前記固定治具にチェーンブロックを取り付け、前記チェーンブロックを緩めながら前記静翼セグメントを自重により、前記上ケーシングから抜き出し、かくして、前記静翼セグメントを前記上ケーシングから取り外すことを特徴とする、回転機器用静翼セグメントの取外し方法。
【請求項１１】
前記押込みジャッキを前記静翼セグメントの抜出し方向下流側に設置することを特徴とする、請求項１０に記載の、回転機器用静翼セグメントの取外し方法。
【請求項１２】
前記押込みジャッキにより前記静翼セグメントを、前記静翼セグメントが自重により抜出し可能になるまで押し込む代わりに、前記第２ワイヤ巻取機により前記ワイヤを巻き取りながら前記第１ワイヤ巻取機を緩めることによって、前記静翼セグメントを自重により前記静翼セグメントが抜出し可能になるまで抜き出すことを特徴とする、請求項１０または１１に記載の、回転機器用静翼セグメントの取外し方法。
【請求項１３】
前記回転機器は、ガスタービンであることを特徴とする、請求項１０から１２の何れか１つに記載の、回転機器用静翼セグメントの取外し方法。
【発明の詳細な説明】
【技術分野】
【０００１】
この発明は、回転機器用静翼セグメントの取外し方法および装置、特に、ガスタービン等の回転機器における静翼セグメントの取外しが静翼を損傷させることなく容易に確実に安全かつ短時間に行える、回転機器用静翼セグメントの取外し方法および装置に関するものである。
【背景技術】
【０００２】
例えば、回転機器としてのガスタービンは、ローターと、ローターを覆うケーシングと、ケーシングの内周面に取り付けられている円環状の静翼環とを備えている。
【０００３】
ガスタービンにおいては、その組み立て等を考慮して、ケーシングは、上ケーシングと下ケーシングとに分割可能になっているとともに、静翼環も周方向に複数個の静翼セグメントに分割可能になっている。
【０００４】
以下に、上ケーシングおよび静翼セグメントを、図面を参照しながら説明する。
【０００５】
図１０は、取り外された上ケーシングを示す側面図、図１１は、静翼環を示す部分斜視図、図１２は、上ケーシングと静翼環との取付け部分を示す断面図である。
【０００６】
図１１に示すように、静翼環２は、複数個の静翼セグメント２ａからなっている。静翼セグメント２ａは、内周枠部材３と、内周枠部材３の外側に内周枠部材３と間隔をあけて同心円状に配された外周枠部材４と、内周枠部材３と外周枠部材４との間に放射状に固定された複数枚の静翼５とからなっている。
【０００７】
図１０、図１２に示すように、上ケーシング１の内周面には、溝１ａが環状に形成され、溝１ａ内に外周枠部材４を嵌合させることによって、静翼セグメント２ａは、上ケーシング１にその周方向に沿って抜出し可能に装着されている。
【０００８】
このように構成されているガスタービンの点検や修理の際には、図１０に示すように、上ケーシング１を取り外した後、静翼セグメント２ａを上ケーシング１から取り外す必要がある。上ケーシング１からの静翼セグメント２ａの取外し方法の一例が特許文献１に開示されている。
【０００９】
以下、この静翼セグメントの取外し方法を従来法といい、図面を参照しながら説明する。
【００１０】
図１３は、従来法による静翼セグメントの取外し方法を示す正面図である。
【００１１】
従来法により静翼セグメント２ａを上ケーシング１から取り外すには、図１３に示すように、円弧状のガイドレール３６を上ケーシング１の下方部に上向きにして設置し、複数台のチェーンブロック３７を静翼セグメント２ａの静翼２に掛け、各チェーンブロック３７を順次、掛け替え、操作しながら静翼セグメント２ａを、上ケーシング１の溝１ａに沿って抜き出して、ガイドレール３６上に移動させ、かくして、静翼セグメント２ａを上ケーシング１から取り外す。そして、図１４に示すように、静翼セグメント２ａをクレーン３８により吊り上げて、別の場所に搬送し、点検や修理を行う。
【００１２】
静翼セグメント２ａを上ケーシング１に取り付ける場合は、取り外す場合と逆の操作をする。
【先行技術文献】
【特許文献】
【００１３】
【特許文献１】特開２０１４−１７７８８８号公報
【発明の概要】
【発明が解決しようとする課題】
【００１４】
静翼セグメントを上ケーシングから取り外す別の方法として、取り外した上ケーシングを反転し、この後、静翼セグメントを上ケーシングから取り外す方法があるが、上ケーシングの反転には、重機が必要となるので、コストと時間がかかるばかりか、上ケーシングの反転作業は、危険が伴う作業であり、また、重機の設置場所および上ケーシングの反転場所が問題となる。
【００１５】
これに対して、上述した従来法によれば、上ケーシングを反転させることなく、静翼セグメントを上ケーシングから取り外すことができるので、上ケーシングの反転作業が不要となる。この結果、静翼セグメントの上ケーシングからの取外しが低コストで行えるばかりか、重機の設置場所や上ケーシングの反転場所の問題も生じず、危険な作業も伴わない。
【００１６】
しかし、複数台のチェーンブロック３７を用いるので、チェーンブロック３７の操作が煩雑となり、静翼セグメント２ａの取外しに時間を要する。しかも、チェーンブロック３７を静翼５に掛けるので、静翼５が損傷するおそれがある。
【００１７】
従って、この発明の目的は、静翼セグメントの取外しが静翼を損傷させることなく、容易に確実に安全かつ短時間に行える、回転機器用静翼セグメントの取外し方法および装置を提供することにある。
【課題を解決するための手段】
【００１８】
この発明は、上記目的を達成するためになされたものであって、下記を特徴とするものである。
【００１９】
請求項１に記載の発明は、ローターと、前記ローターを覆うケーシングと、前記ケーシングの内周面に取り付けられている円環状の静翼環とを備え、前記ケーシングは、上ケーシングと下ケーシングとからなり、前記静翼環は、複数個の円弧状静翼セグメントからなり、前記静翼セグメントは、内周枠部材と、前記内周枠部材の外側に前記内周枠部材と間隔をあけて同心円状に配された外周枠部材と、前記内周枠部材と前記外周枠部材との間に放射状に固定された複数枚の静翼とからなり、前記静翼セグメントは、前記ケーシングの内周面に環状に形成された溝に嵌合することにより、前記ケーシングに前記溝に沿って抜出し可能に装着されている回転機器における前記上ケーシングからの前記静翼セグメントの取外し装置において、前記静翼セグメントの先端部を挟み込む固定治具と、前記固定治具が取り付けられる静翼セグメント誘導台と、円弧状の静翼セグメント用搬送ラインに沿って上向きに設置された基板と、前記基板に前記搬送ラインに沿って間隔をあけ、前記搬送ラインと直交して配された、前記静翼セグメント誘導台が移動する複数個の基台と、前記基台に取り付けられた、前記外周枠部材の外周面を受ける受けローラと、前記基台に取り付けられた、前記外周枠部材の側面を受けるガイドローラと、前記基台に取り付けられた滑車と、前記滑車にガイドされて前記搬送ラインに沿って張り渡され、前記静翼セグメント誘導台に固定されたワイヤと、前記静翼セグメントの抜出し方向上流側に設置された第１ワイヤ巻取機と、前記静翼セグメントの抜出し方向下流側に設置された第２ワイヤ巻取機とを備えていることに特徴を有するものである。
【００２０】
請求項２に記載の発明は、請求項１に記載の発明において、前記基台を前記搬送ラインの径方向に昇降させる昇降手段を備えていることに特徴を有するものである。
【００２１】
請求項３に記載の発明は、請求項１または２に記載の発明において、前記ガイドローラは、前記基台の長手方向に移動可能であることに特徴を有するものである。
【００２２】
請求項４に記載の発明は、請求項１から３の何れか１つに記載の発明において、前記昇降手段は、パンタグラフジャッキからなることに特徴を有するものである。
【００２３】
請求項５に記載の発明は、請求項１から４の何れか１つに記載の発明において、前記静翼セグメントの抜出し初期に、前記静翼セグメントを抜出し方向に押し込む押込みジャッキを備えていることに特徴を有するものである。
【００２４】
請求項６に記載の発明は、請求項５に記載の発明において、前記押込みジャッキは、前記静翼セグメントの抜出し方向下流側に設置されていることに特徴を有するものである。
【００２５】
請求項７に記載の発明は、請求項１から６の何れか１つに記載の発明において、前記静翼セグメントの抜出し後半に、自重により前記静翼セグメントが抜け出すことを阻止するためのチェーンブロックを備えていることに特徴を有するものである。
【００２６】
請求項８に記載の発明は、請求項１から７の何れか１つに記載の発明において、前記基板と前記基台と前記静翼セグメント誘導台と前記第１ワイヤ巻取機と前記第２ワイヤ巻取機とは、一台の台車に設置されていることに特徴を有するものである。
【００２７】
請求項９に記載の発明は、請求項１から８の何れか１つに記載の発明において、前記回転機器は、ガスタービンであることに特徴を有するものである。
【００２８】
請求項１０に記載の発明は、ローターと、前記ローターを覆うケーシングと、前記ケーシングの内周面に取り付けられている円環状の静翼環とを備え、前記ケーシングは、上ケーシングと下ケーシングとからなり、前記静翼環は、複数個の円弧状静翼セグメントからなり、前記静翼セグメントは、内周枠部材と、前記内周枠部材の外側に前記内周枠部材と間隔をあけて同心円状に配された外周枠部材と、前記内周枠部材と前記外周枠部材との間に放射状に固定された複数枚の静翼とからなり、前記静翼セグメントは、前記ケーシングの内周面に環状に形成された溝に嵌合することにより、前記ケーシングに前記溝に沿って抜出し可能に装着されている回転機器であって、前記回転機器は、前記静翼セグメントの先端部を挟み込む固定治具と、前記固定治具が取り付けられる静翼セグメント誘導台と、円弧状の静翼セグメント用搬送ラインに沿って上向きに設置された基板と、前記基板に前記搬送ラインに沿って間隔をあけ、前記搬送ラインと直交して配された、前記静翼セグメント誘導台が移動する複数個の基台と、前記基台に取り付けられた、前記外周枠部材の外周面を受ける受けローラと、前記基台に取り付けられた、前記外周枠部材の側面を受けるガイドローラと、前記基台に取り付けられた滑車と、前記滑車にガイドされて前記搬送ラインに沿って張り渡され、前記静翼セグメント誘導台に固定されたワイヤと、前記静翼セグメントの抜出し方向上流側に設置された第１ワイヤ巻取機と、前記静翼セグメントの抜出し方向下流側に設置された第２ワイヤ巻取機とを備えている前記回転機器における前記上ケーシングからの前記静翼セグメントの取外し方法において、押込みジャッキにより前記静翼セグメントを抜出し方向に若干、押し込み、次いで、前記固定治具を前記静翼セグメントの先端部に固定するとともに、前記固定治具を前記静翼セグメント誘導台に固定し、次いで、前記ワイヤを前記第２ワイヤ巻取機により巻き取るとともに、前記第１ワイヤ巻取機を緩めながら、前記押込みジャッキにより前記静翼セグメントを、前記静翼セグメントが自重により抜出し可能になるまでさらに押し込み、次いで、前記静翼セグメント誘導台を取り外し、次いで、前記固定治具にチェーンブロックを取り付け、前記チェーンブロックを緩めながら前記静翼セグメントを自重により、前記上ケーシングから抜き出し、かくして、前記静翼セグメントを前記上ケーシングから取り外すことに特徴を有するものである。
【００２９】
請求項１１に記載の発明は、請求項１０に記載の発明において、前記押込みジャッキを前記静翼セグメントの抜出し方向下流側に設置することに特徴を有するものである。
【００３０】
請求項１２に記載の発明は、請求項１０または１１に記載の発明において、前記押込みジャッキにより前記静翼セグメントを、前記静翼セグメントが自重により抜出し可能になるまで押し込む代わりに、前記第２ワイヤ巻取機により前記ワイヤを巻き取りながら前記第１ワイヤ巻取機を緩めることによって、前記静翼セグメントを自重により前記静翼セグメントが抜出し可能になるまで抜き出すことに特徴を有するものである。
【００３１】
請求項１３に記載の発明は、請求項１０から１２の何れか１つに記載の発明において、前記回転機器は、ガスタービンであることに特徴を有するものである。
【発明の効果】
【００３２】
この発明によれば、複数台のチェーンブロックを用いる必要がないので、静翼セグメントの取付けが容易に確実にかつ短時間に行える。
【００３３】
また、この発明によれば、チェーンブロックを静翼に掛けることがないので、静翼が損傷するおそれがない。
【００３４】
また、この発明によれば、受けローラとガイドローラと滑車とが取り付けられた基台が昇降手段によって、静翼セグメント用搬送ラインの径方向に昇降可能になっているとともに、ガイドローラが基台の長手方向に移動可能になっているので、各段の静翼環の形状の違いに容易に対応することができる。
【図面の簡単な説明】
【００３５】
【図１】この発明において、押込みジャッキにより静翼セグメントを抜出し方向に若干、押し込む以前の状態を示す正面図である。
【図２】この発明において、押込みジャッキにより静翼セグメントを抜出し方向に若干、押し込んで、固定治具を静翼セグメントの先端部に固定するとともに、固定治具を静翼セグメント誘導台に固定した状態を示す正面図である。
【図３】この発明において、押込みジャッキにより静翼セグメントを抜出し方向にさらに押し込んだ状態を示す正面図である。
【図４】この発明において、固定治具にチェーンブロックを取り付けた状態を示す正面図である。
【図５】この発明において、チェーンブロックを緩めながら静翼セグメントを自重により、上ケーシングから抜き出した状態を示す正面図である。
【図６】静翼セグメントを装置から取り外し、クレーンで吊り上げた状態を示す正面図である。
【図７】図１の一部省略Ａ−Ａ断面図である。
【図８】図１のＢ−Ｂ断面図である。
【図９】この発明の、回転機器用静翼セグメントの取外し装置を示す部分斜視図である。
【図１０】取り外された上ケーシングを示す側面図である。
【図１１】静翼環を示す部分斜視図である。
【図１２】上ケーシングと静翼環との取付け部分を示す断面図である。
【図１３】従来法による静翼セグメントの取外し方法を示す正面図である。
【図１４】従来法により取り外された静翼セグメントをクレーンで搬送する状態を示す正面図である。
【発明を実施するための形態】
【００３６】
この発明の、回転機器用静翼セグメントの取外し装置の一実施態様を、図面を参照しながら説明する。
【００３７】
図１は、この発明において、押込みジャッキにより静翼セグメントを抜出し方向に若干、押し込む以前の状態を示す正面図、図２は、この発明において、押込みジャッキにより静翼セグメントを抜出し方向に若干、押し込んで、固定治具を静翼セグメントの先端部に固定するとともに、固定治具を静翼セグメント誘導台に固定した状態を示す正面図、図３は、  この発明において、押込みジャッキにより静翼セグメントを抜出し方向にさらに押し込んだ状態を示す正面図、図４は、この発明において、固定治具にチェーンブロックを取り付けた状態を示す正面図、図５は、この発明において、チェーンブロックを緩めながら静翼セグメントを自重により、上ケーシングから抜き出した状態を示す正面図、図６は、静翼セグメントを装置から取り外し、クレーンで吊り上げた状態を示す正面図、図７は、図１の一部省略Ａ−Ａ断面図、図８は、図１のＢ−Ｂ断面図、図９は、この発明の、回転機器用静翼セグメントの取外し装置を示す部分斜視図である。
【００３８】
この発明は、ローターと、前記ローターを覆う、上ケーシングと下ケーシングとからなるケーシングと、前記ケーシングの内周面に取り付けられている円環状の静翼環とを備えた、ガスタービン等の回転機器における前記上ケーシングからの前記静翼セグメントの取外し装置に関するものである。
【００３９】
図１１に示すように、静翼環２は、複数個の静翼セグメント２ａからなっている。静翼セグメント２ａは、内周枠部材３と、内周枠部材３の外側に内周枠部材３と間隔をあけて同心円状に配された外周枠部材４と、内周枠部材３と外周枠部材４との間に放射状に固定された複数枚の静翼５とからなっている。静翼環２は、ケーシングに複数段、取り付けられ、各段の静翼環２は、形状が異なる。すなわち、外径や軸方向の幅が異なる。
【００４０】
図１０、図１２に示すように、上ケーシング１の内周面には、溝１ａが環状に形成され、溝１ａ内に外周枠部材４を嵌合させることによって、静翼セグメント２ａは、上ケーシング１にその周方向に沿って抜出し可能に装着されている。
【００４１】
図１から図９において、図１０から図１２に示す番号と同一番号の物は、同一物を示す。なお、図１から図６に示した上ケーシング１の板厚は、簡略に記載されていて、実際は、図１３に示す通り厚く形成されている。
【００４２】
６は、静翼セグメント２ａの先端部を挟み込む固定治具である。固定治具６は、２枚の板間に静翼セグメント２ａの先端部を挟み込み、ボルト８を締めることによって、静翼セグメント２ａの先端部に固定される（図２から図５、図９参照）。
【００４３】
９は、固定治具６が取り付けられる静翼セグメント誘導台である。静翼セグメント誘導台９には、静翼抜出し用押え治具１０がボルト１１により固定され、固定治具６は、静翼抜出し用押え治具１０にボルト１２により固定される。静翼抜出し用押え治具１０には、長孔１０ａが形成され、固定治具６は、長孔１０ａの範囲内で固定可能になっている。各段の静翼環２の形状の違いに対応するためである。静翼セグメント誘導台９は、後述する基台１３上に取り付けられたガイドローラ１５が潜り抜け、ガイドローラ１５と干渉しない形状になっている（図７から図９参照）。
【００４４】
１３は、コ字形状の基台である。基台１３は、円弧状の静翼セグメント用搬送ラインに沿って上向きに設置された円弧状に湾曲した基板７に、前記搬送ラインに沿って間隔をあけ、前記搬送ラインと直交して複数個、配されている。静翼セグメント誘導台９は、基台１３上を後述するワイヤ１９により移動する。所定の基台１３上には、静翼セグメント２ａの外周枠部材４の外周面を受ける一対の受けローラ１４と、外周枠部材４の側面を受ける一対のガイドローラ１５と、後述するワイヤ１９をガイドする一対の滑車１６とが取り付けられている。受けローラ１４によって静翼セグメント誘導台９は、基台１３上を円滑に移動し、ガイドローラ１５によって静翼セグメント誘導台９は、前記搬送ラインから外れることなく移動する。ガイドローラ１５は、基台１３の長手方向に移動可能で所定位置で基台１３に固定可能になっている。各段の静翼環２の形状の違いに対応するためである（図７から図９参照）。
【００４５】
１７は、一対の昇降手段であり、基台１３を前記搬送ラインの径方向にガイド部材１８に沿って昇降させる。各段の静翼環２に対応するためである（図７から図９参照）。昇降手段１７は、パンタグラフジャッキからなっている。静翼セグメント２ａは、昇降手段１７により昇降させた後、ガイド部材１８に固定しても良い。
【００４６】
１９は、滑車１６にガイドされて前記搬送ラインに沿って張り渡された一対のワイヤである。静翼セグメント誘導台９は、ワイヤ１９に着脱可能に取り付けられている（図９参照）。
【００４７】
２０は、静翼セグメント２ａの抜出し方向上流側に設置された第１ワイヤ巻取機であり、２１は、静翼セグメント２ａの抜出し方向下流側に設置された第２ワイヤ巻取機である。ワイヤ１９は、第１ワイヤ巻取機２０と第２ワイヤ巻取機２１との間に取り付けられ、第１ワイヤ巻取機２０と第２ワイヤ巻取機２１とを操作することによって、ワイヤ１９とともに、静翼セグメント誘導台９が基台１３上を移動する。
【００４８】
２２は、架台２３に設置された押込みジャッキである。押込みジャッキ２２は、静翼セグメントの抜出し方向下流側に設置され、静翼セグメント２ａの抜出し初期に、静翼セグメント２ａを抜出し方向に押し込む。
【００４９】
２４は、チェーンブロックであり、固定治具６に取り付けられ、静翼セグメント２ａが自重により抜け出すことを阻止する。
【００５０】
２５は、台車であり、基板７と基台１３と静翼セグメント誘導台９と第１ワイヤ巻取機２０と第２ワイヤ巻取機２１と架台２３とが設置されている（図１から図６参照）。
【００５１】
以上のように構成されている、この発明の、回転機器用静翼セグメントの取外し装置によれば、以下のようにして、静翼セグメントを上ケーシングから取り外す。なお、図２から図５において、静翼セグメントの抜出し方向を矢印で示す。
【００５２】
先ず、図１に示すように、基板７と基台１３と静翼抜出し用押え治具１０が取り付けられた静翼セグメント誘導台９と第１ワイヤ巻取機２０と第２ワイヤ巻取機２１と架台２３とが設置されている台車２４を、静翼セグメント２ａが装着された上ケーシング１の真下に移動させ、架台２３上に押込みジャッキ２２を設置する。
【００５３】
次いで、図２に示すように、押込みジャッキ２２を伸ばして、静翼セグメント２ａを抜出し方向に若干、押し込む。この後、静翼抜出し用押え治具１０に固定治具６を取り付けて、固定治具６により静翼セグメント２ａの先端部を挟み込んで固定する。
【００５４】
次いで、図３に示すように、押込みジャッキ２２により静翼セグメント２ａを、静翼セグメント２ａが自重により抜出し可能になるまでさらに押し込む。この際、ワイヤ１９を第２ワイヤ巻取機２１により巻き取るとともに、第１ワイヤ巻取機２０を緩める。
【００５５】
このようにして、静翼セグメント２ａを自重により抜出し可能になるまで抜き出したら、図４に示すように、静翼セグメント誘導台９を静翼抜出し用押え治具１０とともに取り外し、押込みジャッキ２２を架台２３とともに撤去する。そして、固定治具６にチェーンブロック２４を取り付け、チェーンブロック２４を緩めながら静翼セグメント２ａを自重によりさらに抜き出す。
【００５６】
このようにして、図５に示すように、静翼セグメント２ａを自重により完全に上ケーシング１から抜き出す。
【００５７】
以上のようにして、静翼セグメント２ａを上ケーシング１から取り外すことができる。
【００５８】
なお、静翼セグメント２ａを上ケーシング１に取り付ける場合には、上述した取外しの操作と逆の操作をする。
【００５９】
上ケーシング１から抜き出した静翼セグメント２ａは、図６に示すように、クレーン２６により吊り上げて、別の場所に搬送し、点検や修理を行う。
【００６０】
以上、説明したように、この発明によれば、複数台のチェーンブロックを用いる必要がないので、静翼セグメント２ａの取付けが容易に確実に安全かつ短時間に行える。
【００６１】
また、この発明によれば、固定治具６により静翼セグメント２ａの先端部を挟み込んで固定することによって、チェーンブロックを静翼５に掛ける必要がないので、静翼５が損傷するおそれがない。
【００６２】
また、この発明によれば、受けローラ１４とガイドローラ１５と滑車１６とが取り付けられた基台１３が昇降手段１７によって、静翼セグメント用搬送ラインの径方向に昇降可能になっているとともに、ガイドローラ１５が基台１３の長手方向に移動可能になっているので、各段の静翼環２の形状の違いに容易に対応することができる。
【符号の説明】
【００６３】
１：上ケーシング
１ａ：溝
２：静翼環
２ａ：静翼セグメント
３：内周枠部材
４：外周枠部材
５：静翼
６：固定治具
７：基板
８：ボルト
９：静翼セグメント誘導台
１０：静翼抜出し用押え治具
１０ａ：長孔
１１：ボルト
１２：ボルト
１３：基台
１４：受けローラ
１５：ガイドローラ
１６：滑車
１７：昇降手段
１８：ガイド部材
１９：ワイヤ
２０：第１ワイヤ巻取機
２１：第２ワイヤ巻取機
２２：押込みジャッキ
２３：架台
２４：チェーンブロック
２５：台車
２６：クレーン
３６：ガイドレール
３７：チェーンブロック
３８：クレーン
【図１】
2017207016.tif 000003
【図２】
2017207016.tif 000004
【図３】
2017207016.tif 000005
【図４】
2017207016.tif 000006
【図５】
2017207016.tif 000007
【図６】
2017207016.tif 000008
【図７】
2017207016.tif 000009
【図８】
2017207016.tif 000010
【図９】
2017207016.tif 000011
【図１０】
2017207016.tif 000012
【図１１】
2017207016.tif 000013
【図１２】
2017207016.tif 000014
【図１３】
2017207016.tif 000015
【図１４】
2017207016.tif 000016
【手続補正書】
【提出日】平成29年6月23日(2017.6.23)
【手続補正１】
【補正対象書類名】特許請求の範囲
【補正対象項目名】請求項４
【補正方法】変更
【補正の内容】
【請求項４】
前記昇降手段は、パンタグラフジャッキからなることを特徴とする、請求項２または３に記載の、回転機器用静翼セグメントの取外し装置。
【手続補正２】
【補正対象書類名】明細書
【補正対象項目名】００２２
【補正方法】変更
【補正の内容】
【００２２】
請求項４に記載の発明は、請求項２または３に記載の発明において、前記昇降手段は、パンタグラフジャッキからなることに特徴を有するものである。
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
ローターと、前記ローターを覆うケーシングと、前記ケーシングの内周面に取り付けられている円環状の静翼環とを備え、前記ケーシングは、上ケーシングと下ケーシングとからなり、前記静翼環は、複数個の円弧状静翼セグメントからなり、前記静翼セグメントは、内周枠部材と、前記内周枠部材の外側に前記内周枠部材と間隔をあけて同心円状に配された外周枠部材と、前記内周枠部材と前記外周枠部材との間に放射状に固定された複数枚の静翼とからなり、前記静翼セグメントは、前記ケーシングの内周面に環状に形成された溝に嵌合することにより、前記ケーシングに前記溝に沿って抜出し可能に装着されている回転機器における前記上ケーシングからの前記静翼セグメントの取外し装置において、
前記静翼セグメントの先端部を挟み込む固定治具と、前記固定治具が取り付けられる静翼セグメント誘導台と、円弧状の静翼セグメント用搬送ラインに沿って上向きに設置された基板と、前記基板に前記搬送ラインに沿って間隔をあけ、前記搬送ラインと直交して配された、前記静翼セグメント誘導台が移動する複数個の基台と、前記基台に取り付けられた、前記外周枠部材の外周面を受ける受けローラと、前記基台に取り付けられた、前記外周枠部材の側面を受けるガイドローラと、前記基台に取り付けられた滑車と、前記滑車にガイドされて前記搬送ラインに沿って張り渡され、前記静翼セグメント誘導台に固定されたワイヤと、前記静翼セグメントの抜出し方向上流側に設置された第１ワイヤ巻取機と、前記静翼セグメントの抜出し方向下流側に設置された第２ワイヤ巻取機とを備えていることを特徴とする、回転機器用静翼セグメントの取外し装置。
【請求項２】
前記基台を前記搬送ラインの径方向に昇降させる昇降手段を備えていることを特徴とする、請求項１に記載の、回転機器用静翼セグメントの取外し装置。
【請求項３】
前記昇降手段は、パンタグラフジャッキからなることを特徴とする、請求項２に記載の、回転機器用静翼セグメントの取外し装置。
【請求項４】
前記ガイドローラは、前記基台の長手方向に移動可能であることを特徴とする、請求項１から３の何れか１つに記載の、回転機器用静翼セグメントの取外し装置。
【請求項５】
前記静翼セグメントの抜出し初期に、前記静翼セグメントを抜出し方向に押し込む押込みジャッキを備えていることを特徴とする、請求項１から４の何れか１つに記載の、回転機器用静翼セグメントの取外し装置。
【請求項６】
前記押込みジャッキは、前記静翼セグメントの抜出し方向下流側に設置されていることを特徴とする、請求項５に記載の、回転機器用静翼セグメントの取外し装置。
【請求項７】
前記静翼セグメントの抜出し後半に、自重により前記静翼セグメントが抜け出すことを阻止するためのチューンブロックを備えていることを特徴とする、請求項１から６の何れか１つに記載の、回転機器用静翼セグメントの取外し装置。
【請求項８】
前記基板と前記基台と前記静翼セグメント誘導台と前記第１ワイヤ巻取機と前記第２ワイヤ巻取機とは、一台の台車に設置されていることを特徴とする、請求項１から７の何れか１つに記載の、回転機器用静翼セグメントの取外し装置。
【請求項９】
前記回転機器は、ガスタービンであることを特徴とする、請求項１から８の何れか１つに記載の、回転機器用静翼セグメントの取外し装置。
【請求項１０】
ローターと、前記ローターを覆うケーシングと、前記ケーシングの内周面に取り付けられている円環状の静翼環とを備え、前記ケーシングは、上ケーシングと下ケーシングとからなり、前記静翼環は、複数個の円弧状静翼セグメントからなり、前記静翼セグメントは、内周枠部材と、前記内周枠部材の外側に前記内周枠部材と間隔をあけて同心円状に配された外周枠部材と、前記内周枠部材と前記外周枠部材との間に放射状に固定された複数枚の静翼とからなり、前記静翼セグメントは、前記ケーシングの内周面に環状に形成された溝に嵌合することにより、前記ケーシングに前記溝に沿って抜出し可能に装着されている回転機器であって、前記回転機器は、前記静翼セグメントの先端部を挟み込む固定治具と、前記固定治具が取り付けられる静翼セグメント誘導台と、円弧状の静翼セグメント用搬送ラインに沿って上向きに設置された基板と、前記基板に前記搬送ラインに沿って間隔をあけ、前記搬送ラインと直交して配された、前記静翼セグメント誘導台が移動する複数個の基台と、前記基台に取り付けられた、前記外周枠部材の外周面を受ける受けローラと、前記基台に取り付けられた、前記外周枠部材の側面を受けるガイドローラと、前記基台に取り付けられた滑車と、前記滑車にガイドされて前記搬送ラインに沿って張り渡され、前記静翼セグメント誘導台に固定されたワイヤと、前記静翼セグメントの抜出し方向上流側に設置された第１ワイヤ巻取機と、前記静翼セグメントの抜出し方向下流側に設置された第２ワイヤ巻取機とを備えている前記回転機器における前記上ケーシングからの前記静翼セグメントの取外し方法において、
押込みジャッキにより前記静翼セグメントを抜出し方向に若干、押し込み、次いで、前記固定治具を前記静翼セグメントの先端部に固定するとともに、前記固定治具を前記静翼セグメント誘導台に固定し、次いで、前記ワイヤを前記第２ワイヤ巻取機により巻き取るとともに、前記第１ワイヤ巻取機を緩めながら、前記押込みジャッキにより前記静翼セグメントを、前記静翼セグメントが自重により抜出し可能になるまでさらに押し込み、次いで、前記静翼セグメント誘導台を取り外し、次いで、前記固定治具にチエーンブロックを取り付け、前記チエーンブロックを緩めながら前記静翼セグメントを自重により、前記上ケーシングから抜き出し、かくして、前記静翼セグメントを前記上ケーシングから取り外すことを特徴とする、回転機器用静翼セグメントの取外し方法。
【請求項１１】
前記押込みジャッキを前記静翼セグメントの抜出し方向下流側に設置することを特徴とする、請求項１０に記載の、回転機器用静翼セグメントの取外し方法。
【請求項１２】
前記押込みジャッキにより前記静翼セグメントを、前記静翼セグメントが自重により抜出し可能になるまで押し込む代わりに、前記第２ワイヤ巻取機により前記ワイヤを巻き取りながら前記第１ワイヤ巻取機を緩めることによって、前記静翼セグメントを自重により前記静翼セグメントが抜出し可能になるまで抜き出すことを特徴とする、請求項１０または１１に記載の、回転機器用静翼セグメントの取外し方法。
【請求項１３】
前記回転機器は、ガスタービンであることを特徴とする、請求項１０から１２の何れか１つに記載の、回転機器用静翼セグメントの取外し方法。
【手続補正２】
【補正対象書類名】明細書
【補正対象項目名】００２１
【補正方法】変更
【補正の内容】
【００２１】
請求項３に記載の発明は、請求項２に記載の発明において、前記昇降手段は、パンタグラフジャッキからなることに特徴を有するものである。
【手続補正３】
【補正対象書類名】明細書
【補正対象項目名】００２２
【補正方法】変更
【補正の内容】
【００２２】
請求項４に記載の発明は、請求項１から３の何れか１つに記載の発明において、前記ガイドローラは、前記基台の長手方向に移動可能であることに特徴を有するものである。